(57)【特許請求の範囲】
【請求項１】
方形状に成形され作業者の荷重を支持する荷重支持用ネットと、
この荷重支持用ネットの中央を囲むようにループ状に配置された第１の補強ロープと、この第１の補強ロープを囲むようにループ状に配置された第２の補強ロープと、
上記荷重支持用ネットの中央近傍から該荷重支持用ネットの各角部方向に延在され、基端側及び中途部は上記第１及び第２の補強ロープに固定又は係合されてなるとともに、それぞれの先端には高所作業現場における高所施設の任意位置に係止される係止用金具が固定されてなる吊ロープと、
を備えてなることを特徴とする高所作業用補助具。
【請求項２】
前記各吊ロープの中途部から先端側までの間は、保護用管体に挿通されてなることを特徴とする請求項１記載の高所作業用補助具。
【請求項３】
前記荷重支持用ネットの各辺には、先端が高所作業現場における高所施設の任意位置に結ばれる補助ロープの基端が固定されてなることを特徴とする請求項１又は２記載の何れかの高所作業用補助具。
【請求項４】
前記荷重支持用ネットの上部には、可撓性を有する捕捉シート又は該荷重支持用ネットの網目よりも細かい網目を備えた捕捉用ネットが配置されてなり、この捕捉シート又は捕捉ネットには、先端が高所作業現場における高所施設の任意位置に結ばれ又は固定される補助ロープの基端が固定されてなることを特徴とする請求項１，２又は３記載の何れかの高所作業用補助具。
【請求項５】
前記請求項１記載の高所作業用補助具を構成する吊ロープの先端に固定された係止用金具の全てを高所作業現場における高所施設の任意位置に係止する第１の荷重支持用ネット係止工程と、
この第１の荷重支持用ネット係止工程の後に、前記請求項３記載の補助ロープの先端を高所作業現場における高所施設の任意位置に結ぶ第１の補助ロープ締結工程と、
この補助ロープ締結工程の後に、前記請求項４記載の捕捉シート又は上記捕捉ネットに基端側が固定された前記補助ロープの先端を高所作業現場における高所施設の任意位置に結ぶ第２の補助ロープ締結工程と、を有し、
上記捕捉シート又は上記捕捉ネット上に移動した後に、高所作業現場における高所施設の裏面に塗料を塗布し又は剥離させる等のメンテナンス作業を行うことを特徴とする高所作業方法。
【発明の詳細な説明】
【技術分野】
【０００１】
本発明は、例えば鉄塔等の上端側等の高所において、塗装作業等のメンテナンス作業や電気通信設備等の設置作業を行う際に使用される高所作業用補助具及びこの補助具を使用した高所作業方法に関し、特に、作業者の荷重を支持してその上で作業を行う高所作業用補助具及びこの補助具を使用した高所作業方法に関するものである。
【背景技術】
【０００２】
鉄塔等の上端側等の高所において作業する際に使用される高所作業用補助具としては、これまで安全ネット又は防護ネットと称されるものが幾つか提案されている。例えば、特開平１０−８２１８６号公報（特許文献１）には、工事作業者が作業中、万一、高所の作業現場から転落するという事故が起こっても事故による怪我等を未然に防止して工事を安全に施工し得る安全ネットが提案され、また、特開２００９−１１２５１１号公報（特許文献２）では、高所作業時に墜落した作業員等をより確実に保護することができることを目的とした防護ネットが提案されている。これらの安全ネットや防護ネットは、労働安全衛生法の規定に基づくものであり、労働者の墜落による危険を防止するためのものであって、作業者が高所作業を行う際に作業者の荷重を常時支持するものではなく、あくまでも落下した際に支持するものである。したがって、例えば、鉄塔の先端側（高所）において作業をする場合には、安全帯の先端に固定された金具を鉄塔に固定したり連結したりして作業を行っているのが実情である。
【先行技術文献】
【特許文献】
【０００３】
【特許文献１】特開平１０−８２１８６号公報
【特許文献２】特開２００９−１１２５１１号公報
【発明の概要】
【発明が解決しようとする課題】
【０００４】
しかしながら、上述したように、安全帯を使用して行う高所作業は極めて安定性が悪い。特に、図９に示すような送電鉄塔Ｔに設けられた腕金（アーム）Ａ等を塗装する場合のように、作業者の足場として利用する腕金（アーム）Ａの裏側（下面）に塗料や防錆剤を塗布する作業を行う場合においては、安全帯だけでは物理的にも心理的にも不安定な状態となるばかりか、作業そのものも極めて効率性に欠け、作業工期が遅れる可能性も高い。
【０００５】
そこで、本発明は、上述した高所作業を行う際の課題を解決するために提案されたものであって、高所作業、特に作業者の足場として利用される部位の裏側（裏面）に作業を行う場合であっても、物理的にも心理的にも安定的で且つ作業の効率性も高い新規な高所作業用補助具及びこの補助具を使用した高所作業方法を提供することを目的とするものである。
【課題を解決するための手段】
【０００６】
本発明は、上記の課題を解決するために提案されたものであって、第１の発明（請求項１記載の発明）は、高所作業用補助具に係るものであって、方形状に成形され作業者の荷重を支持する荷重支持用ネットと、この荷重支持用ネットの中央を囲むようにループ状に配置された第１の補強ロープと、この第１の補強ロープを囲むようにループ状に配置された第２の補強ロープと、上記荷重支持用ネットの中央近傍から該荷重支持用ネットの各角部方向に延在され、基端側及び中途部は上記第１及び第２の補強ロープに固定又は係合されてなるとともに、それぞれの先端には高所作業現場における高所施設の任意位置に係止される係止用金具が固定されてなる吊ロープと、を備えてなることを特徴とするものである。
【０００７】
この第１の発明に係る高所作業用補助具では、荷重支持用ネットの中央を囲むようにループ状に配置された第１及び第２の補強ロープが該荷重支持用ネットに固定され、これら第１及び第２の補強ロープと吊ロープとは、該吊ロープの基端側及び中途部において互いに固定されていることから、作業者の荷重を支持した際には、該荷重支持用ネット全体が大きく撓むことなく、上記第１及び第２の補強ロープの長さ方向や吊ロープの長さ方向へは撓まないことから、これら第１及び第２の補強ロープや吊ロープの配置位置を足場として利用することができ、物理的にも心理的にも安定した作業環境を確保することができる。
【０００８】
なお、上記荷重支持用ネットの中央を囲むように配置された第１及び第２の補強ロープ全体の形状に関しては、荷重支持用ネットの中央を囲む形状であれば、例えば方形状であっても円形状であっても多角形状であっても良い。
【０００９】
また、第２の発明（請求項２記載の発明）は、前記第１の発明において、各吊ロープの中途部から先端側までの間は、保護用管体に挿通されてなることを特徴とするものである。
【００１０】
この第２の発明に係る高所作業用補助具では、前記各吊ロープの中途部から先端側までの間は、保護用管体に挿通されてなることから、高所作業現場における高所施設との摺接により上記吊ロープの中途部から先端側までの間が摩耗したり切断されたりしてしまう危険性を有効に防止することができる。
【００１１】
また、第３の発明（請求項３記載の発明）は、上記第１又は第２の発明の何れかにおいて、前記荷重支持用ネットの各辺には、先端が高所作業現場における高所施設の任意位置に固定される補助ロープの基端側が固定されてなることを特徴とするものである。
【００１２】
この第３の発明に係る高所作業用補助具では、先端が高所作業現場における高所施設の任意位置に固定される補助ロープの基端が上記荷重支持用ネットの各辺に固定されていることから、より安定的に高所施設に設置することができる。
【００１３】
また、第４の発明（請求項４記載の発明）は、上記第１，第２，第３の発明の何れかにおいて、前記荷重支持用ネットの上部には、可撓性を有する捕捉シート又は該荷重支持用ネットの網目よりも細かい網目を備えた捕捉用ネットが配置されてなり、この捕捉シート又は捕捉ネットには、先端が高所作業現場における高所施設の任意位置に固定される補助ロープの基端が固定されてなることを特徴とするものである。
【００１４】
この第４の発明に係る高所作業用補助具では、前記荷重支持用ネットの上部には、可撓性を有する捕捉シート又は上記捕捉用ネットが配置されてなることから、高所作業に使用される工具や部品は勿論、例えば、上記捕捉シートや網目が１ｍｍ以下の捕捉ネットを用いた場合には、鉄塔等の高所施設から剥離した塗料や新たに塗布する塗料等が落下したり下方に飛散したりする事態を有効に回避することができ、また、風の影響により高所作業用補助具全体が揺れる危険性を防止することができる。またさらに、この捕捉シート又は上記捕捉ネットには、上記先端が高所作業現場における高所施設の任意位置に結ばれ又は固定される補助ロープの基端が固定されてなることから、さらに一層安定した設置状態を確保することができる。
【００１５】
また、第５の発明（請求項５記載の発明）は、前記第４の発明に係る高所作業用補助具を使用した高所作業方法に係るものであって、前記請求項１記載の高所作業用補助具を構成する吊ロープの先端に固定された係止用金具の全てを高所作業現場における高所施設の任意位置に係止する第１の荷重支持用ネット係止工程と、この第１の荷重支持用ネット係止工程の後に、前記請求項３記載の補助ロープの先端を高所作業現場における高所施設の任意位置に固定する第１の補助ロープ締結工程と、この第１の補助ロープ締結工程の後に、前記請求項４記載の捕捉シート又は上記捕捉ネットに基端側が固定された補助ロープの先端を高所作業現場における高所施設の任意位置に結ぶ第２の補助ロープ締結工程と、を有し、上記捕捉シート又は上記捕捉ネット上に移動した後に、高所作業現場における高所施設の裏面に塗料を塗布し又は剥離させる等のメンテナンス作業を行うことを特徴とする高所作業方法。
【００１６】
この第５の発明に係る高所作業方法によれば、物理的にも心理的にも安定的で且つ作業の効率性も高い高所作業を行うことができ、また、鉄塔等の高所施設から剥離した塗料や新たに塗布する塗料等が落下したり下方に飛散したりする事態を有効に回避することができる。
【発明の効果】
【００１７】
第１の発明（請求項１記載の発明）に係る高所作業用補助具では、荷重支持用ネットの中央を囲むようにループ状に配置された第１及び第２の補強ロープが固定され、これら第１及び第２の補強ロープと吊ロープとは、該吊ロープの基端側及び中途部において互いに固定されていることから、作業者の荷重を支持した際には、該荷重支持用ネット全体が大きく下方に撓むことなく、上記複数の補強ロープの長さ方向や吊ロープの長さ方向へは大きく撓まないことから、これら補強ロープや吊ロープの配置位置を足場として利用することができ、安定した作業環境が確保することができる。
【００１８】
また、第２の発明（請求項２記載の発明）高所作業用補助具では、前記各吊ロープの中途部から先端側までの間は、保護用管体に挿通されてなることから、高所作業現場における高所施設との摺接により上記吊ロープの中途部から先端側までの間が摩耗し切断されてしまう危険性を有効に防止することができる。
【００１９】
また、第３の発明（請求項３記載の発明）に係る高所作業用補助具では、先端が高所作業現場における高所施設の任意位置に固定される補助ロープの基端が上記荷重支持用ネットの各辺に固定されていることから、より安定的に高所施設に設置することができる。
【００２０】
また、第４の発明（請求項４記載の発明）に係る高所作業用補助具では、前記荷重支持用ネットの上部には、可撓性を有する捕捉シート又は上記捕捉用ネットが配置されてなることから、高所作業に使用される工具や部品は勿論、例えば、上記捕捉シートや網目が１ｍｍ以下の捕捉ネットを用いた場合には、鉄塔等の高所施設から剥離した塗料や新たに塗布する塗料等が落下したり下方に飛散したりする事態を有効に回避することができる。またさらに、この捕捉シート又は上記捕捉ネットには、上記先端が高所作業現場における高所施設の任意位置に結ばれ又は固定される補助ロープの基端が固定されてなることから、さらに一層安定した設置状態を確保することができる。
【００２１】
また、第５の発明（請求項５記載の発明）に係る高所作業方法によれば、物理的にも心理的にも安定的で且つ作業の効率性も高い高所作業を行うことができ、また、鉄塔等の高所施設から剥離した塗料や新たに塗布する塗料等が落下したり下方に飛散したりする事態を有効に回避することができる。
【図面の簡単な説明】
【００２２】
【図１】本発明の実施の形態に係る高所作業用補助具を構成する荷重支持用ネットと飛散防止ネットとを分離して示す側面図である。
【図２】図１に示す荷重支持用ネットの平面図である。
【図３】図１に示す荷重支持用ネット中央部付近を拡大して示す平面図である。
【図４】吊ロープの先端側を拡大して示す斜視図である。
【図５】飛散防止用ネットの平面図である。
【図６】図５に示す飛散防止用ネットの側面図である。
【図７】吊ロープにより高所作業用補助具を送電鉄塔の腕金に吊り下げた状態を示す側面図である。
【図８】補助ロープにより飛散防止用ネットを送電鉄塔の腕金に取り付けた状態を示す側面図である。
【図９】腕金が形成された送電鉄塔を示す側面図である。
【発明を実施するための形態】
【００２３】
以下、本発明に係る高所作業用補助具を実施するための形態について、図面を参照しながら詳細に説明する。
【００２４】
この実施の形態に係る高所作業用補助具１は、高圧電線が支持された大型鉄塔の先端側に固定された腕金（アーム）の下面に塗装作業を行う際に使用されるものであって、図１に示すように、荷重支持用ネット２と、飛散防止用ネット３とを備えている。なお、この飛散防止用ネット３は、本発明を構成する捕捉用ネットである。
【００２５】
上記荷重支持用ネット２は、図２に示すように、長方形状に成形されたネット本体５と、このネット本体５に固定（縫着）された第１ないし第３の補強ロープ６，７，８と、基端が上記第１の補強ロープ６に固定され、上記荷重支持用ネット２の角部方向に延在されてなる第１ないし第４の吊ロープ９・・・１２とを有している。上記ネット本体５は、長辺が約２．５〜３．５ｍ、短辺が２〜３ｍの長さとされ、多数の網目が形成されてなるものである。また、上記第１の補強ロープ６は、上記ネット本体５の中央の周囲を囲むように、方形状に配置されてなるものであり、該ネット本体５に形成された網目に挿通され、ネット本体５を縫っている。また、上記第２の補強ロープ７は、上記第２の補強ロープ６の周囲を囲むように、長方形状に配置されてなり、第１の補強ロープ６と同じように、ネット本体５に形成された網目に挿通され、ネット本体５を縫っている。また、上記ネット本体５の周囲には、第３の補強ロープ８が上記第２の補強ロープ７を囲むように配置されている。この第３の補強ロープ８も、上記第１及び第２の補強ロープ６，７と同じように、ネット本体５に形成された網目に挿通され、ネット本体５を縫っている。なお、この高所作業用補助具１では、本発明を構成する補強ロープとして、３つの（第１ないし第３の）補強ロープ６，７，８を構成要素としたが、本発明では、さらに多くの補強ロープを配置したものであっても良い。なお、この高所作業用補助具１を構成する荷重支持用ネット２では、上記補強ロープ６，７，８以外に、上記ネット本体５の左側の短辺に平行な平行ロープ１５が配置されている。この平行ロープ１５は、両端が上記第３の補強ロープ８に固定されており、中途部は上記ネット本体５の網目を縫っている。
【００２６】
また、上記第１ないし第４の吊ロープ９・・・１２は、図３に示すように、それぞれ基端には、ループ９ａ・・・１２ａが形成され、上述した第１の補強ロープ６は、これらのループ９ａ・・・１２ａに挿通（係合）されている。また、上記第１ないし第４の吊ロープ９・・・１２の基端側中途部は、上記第２の補強ロープ７に縫合（固定）されているとともに、上記第３の補強ロープ８にも縫合（固定）され、この第３の補強ロープ８の固定位置からさらに延長され、図２に示すように、それぞれの先端には係止用金具としてのＵクレビス１３が固定されている。なお、これらのＵクレビス１３は、図４に示すように、Ｕ字状に成形された金具本体１３ａと、この金具本体１３ａの両端に形成され中心には円形状の開口（符号は省略する。）が開設された一方及び他方の円盤部１３ｂ，１３ｃと、上記開口に挿通されたボルト１３ｄと、このボルト１３ｄに螺着されたナット１３ｅとから構成されている。そして、上記第１ないし第４の吊ロープ９・・・１２の基端側から上記第３の補強ロープ８に縫合された部位までは、上記ネット本体５の各網目に交互に挿通されて（ネット本体５を縫って）いる。さらに、上記第１ないし第４の吊ロープ９・・・１２であって、図２に示すように、上記ネット本体５を縫っていない部位（中途部から先端側までの間）は、それぞれ本発明を構成する保護用管体としてのゴム管１４に挿通されている。すなわち、上記第１ないし第４の吊ロープ９・・・１２には、それぞれゴム管１４が配置されており、これらのゴム管１４により上記第１ないし第４の吊ロープ９・・・１２が鉄塔や後述する腕金（アーム）との摺接やそれによる摩耗により切断されることが防止されている。
【００２７】
また、上記ネット本体５には、第１ないし第８の補助ロープ１７・・・２４の基端が固定されている。これら第１ないし第８の補助ロープ１７・・・２４は、後述するように、先端側が鉄塔又は腕金（アーム）に固定されるものであって、上記第１ないし第３の補助ロープ１７・・・１９は、それぞれ上記ネット本体５の左側短辺に均等な間隔で基端が固定され、第４ないし第６の補助ロープ２０・・・２２は、それぞれ上記ネット本体５の左側短辺に均等な間隔で基端が固定されている。また、上記第７の補助ロープ２３と第８の補助ロープ２４は、それぞれ上記ネット本体５の長辺の中央に基端が固定されている。
【００２８】
そして、上述した構成に係る荷重支持用ネット２のネット本体５上には、本発明を構成する捕捉用ネットとしての飛散防止用ネット３が配置（縫着）されている。この飛散防止用ネット３は、約１ｍｍの網目が多数形成されてなるものであり、図５に示すように、正方形状に成形され、一辺の長さは上記ネット本体５の長辺の長さよりも長尺とされている。そして、上記飛散防止用ネット３の外周には、端部が折り返しされた折返部（符号は省略する。）が形成され、この折返部であって、該飛散防止用ネット３の各角部と、各角部との間にはそれぞれ開口が形成されたリング状金具（ハトメ）２６が固定されている。これらのリング状金具２６は、この飛散用防止ネット３を鉄塔の腕金（アーム）に先端側を固定する（縛る）補助ロープ３２の基端が固定される部位である（図１参照）。
【００２９】
また、この飛散防止用ネット３の上面であって、該飛散防止用ネット３の中央を挟んだ左右両側には、一方の中間帯体３０と、この一方の中間帯体３０に並行な他方の中間帯体３１の下端側が固定（縫着）されている。なお、これら一方及び他方の中間帯体３０，３１は、上記飛散防止用ネット３の長辺と平行とされている。そして、これら一方及び他方の中間帯体３０，３１には、図６に示すように、それぞれ開口が形成された５つのリング状金具（ハトメ）２７が固定されている。これらのリング状金具２７は、この飛散用防止ネット３を鉄塔の腕金（アーム）に先端側を固定する（縛る）補助ロープ３３の基端が固定される部位である（図１参照）。
【００３０】
以下、上述した本実施の形態に係る高所作業用補助具１を使用して行われる高所作業方法、とりわけ図９に示す送電鉄塔Ｔの上端側に水平に固定された腕金（アーム）Ａの下面への塗装方法について、順を追って説明する。
【００３１】
先ず、作業者（二人）が高所作業用補助具１を携えながら上記送電鉄塔Ｔに登り、塗装作業を予定している上記腕金（アーム）Ａ上において、上記高所作業用補助具１を該腕金（アーム）Ａに取り付ける。なお、高所作業用補助具１は、ネット本体１と飛散用防止ネット３との端部側から丸めるとともに、上記第１ないし第４の吊ロープ９・・・１２の何れかにより縛るなどしてコンパクト化し、それを携えて塗料を塗布すべき腕金（アーム）Ａまで搬入する。また、こうした作業を行うに先立ち、予め上記送電鉄塔Ｔに支持されている図示しない送電線は停電状態としておく。そして、上記高所作業用補助具１が、上記腕金（アーム）Ａ上にまで搬入されると、次いで、該高所作業用補助具１を二人で広げる。この高所作業用補助具１の広げ方は、腕金（アーム）Ａ上において、送電鉄塔Ｔ方向に上記ネット本体５の長さが向くようにする。次いで、上記腕金（アーム）Ａの先端側の適当な箇所に、第３の吊ロープ１１の先端側を一重（又は二重）に巻回し、上記Ｕクレビス１３を構成するボルト１３ｄからナット１３ｅを取り除き、該ボルト１３ｄを一方の円盤部１３ｂ又は他方の円盤部１３ｃから引き抜き、その上で金具本体１３ａ内に第３の吊ロープ１１の中途部を挿通させる。また、第４の吊ロープ１２も、上記ネット本体５が幅方向に広がるように、上記第３の吊ロープ１１が固定された部位から離間した位置にて、上記腕金（アーム）Ａの所定位置に上記Ｕクレビス１３を利用して固定する。また、こうした要領と同じ要領で、上記第１及び第２の吊ロープ９，１０も上記Ｕクレビス１３を利用して上記腕金（アーム）Ａに固定する。こうした作業により、塗装を行う腕金（アーム）Ａの下側に、荷重支持用ネット２が固定される（図７参照）が、この吊り下げ位置は、作業者が後述する飛散防止用ネット３上において、膝をついた状態で作業ができる程度の位置（腕金（アーム）Ａの下面から約９０ｃｍ程度）とする。
【００３２】
そして、このように上記腕金（アーム）Ａに対して上記第１ないし第４の吊ロープ９・・・１２の固定作業が終了すると、次いで、支持されたネット本体５の安定性や方向性などを考慮しながら、上記第１ないし第８の補助ロープ１７・・・２４の全て又は何れかの先端を上記腕金（アーム）Ａに固定する。
【００３３】
上記作業工程により、荷重支持用ネット２を固定する作業が終了する。こうした作業が終了すると、次いで、上記飛散防止用ネット３に形成された各リング状金具（ハトメ）２６，２７に、補助ロープ３２，３３をそれぞれ挿通し、上記第１ないし第８の補助ロープ１７・・・２４の固定作業と同じように、該補助ロープ３２，３３の先端を腕金（Ａ）に固定する（図８参照）。なお、腕金（アーム）Ａに対するこうした補助ロープ３２，３３の固定作業は、風向や風速を考慮しながら、飛散防止用ネット３の周囲が塗装作業を行う腕金（アーム）Ａの下面の周囲が覆われるように行う。
【００３４】
以上の作業により上記高所作業用補助具１が腕金（アーム）Ａに固定されると、次いで、作業者は、図示しない安全帯を装備したうで、該腕金（アーム）Ａ上から上記飛散防止用ネット３上に移動し、先ず、腕金（アーム）Ａの下面の錆を落とし（ケレン作業を行い）、塗装作業を行う。
【００３５】
この際、上記高所作業用補助具１は、上記第１ないし第４の吊ロープ９・・・１２ばかりではなく、上記ネット本体５に基端が固定された第１ないし第８の補助ロープ１７・・・２４、さらには、上記飛散防止用ネット３に基端が固定された補助ロープ３２，３３により腕金（アーム）Ａに固定されることから、極めて物理的にも作業者の心理的にも安定性が良好となり、且つ、腕金（アーム）Ａの下面に行われる塗装作業（高所作業）も効率性が高いものとなり工期も短縮化される。しかも、上記荷重支持用ネット２を構成するネット本体５には、上記第１及び第２の補強ロープ６，７がネット本体５の中央を囲むように配置・固定されてなるとともに、これら第１及び第２の補強ロープ６，７は、上記第１ないし第４の吊ロープ９・・・１２の中途部と固定されていることから、作業者により行われる塗装作業（高所作業）は極めて安定性の高いものなる。特に、この実施の形態に係る高所作業用補助具１では、上記平行ロープ１５が荷重支持用ネット２を構成するネット本体５に配置されてなることから、腕金（アーム）Ａに吊り下げた該高所作業用補助具１（飛散防止用ネット３）上に移動する場合や、該高所作業用補助具１（飛散防止用ネット３）上から腕金（アーム）Ａ上に移動する場合においては、作業者の足場として機能することから、こうした移動も安全に行うことが可能となる。
【００３６】
また、この高所作業用補助具１は、上述した飛散防止用ネット３を構成要素とし、この飛散防止用ネット３の寸法は、前述したように、正方形状に成形され、一辺の長さは上記ネット本体５の長辺の長さよりも長尺とされていることから、作業者の荷重により中央およびその周囲が下方に窪んだ場合であっても、該飛散防止用ネット３は上記補助ロープ３０により腕金（アーム）Ａに固定されていることと相俟って、（網の目が粗い）ネット本体５の上部に必ず位置することとなる。したがって、腕金（アーム）Ａから飛散した錆や塗料が飛散し落下する危険性を有効に防止できるとともに、ネット本体５に塗料が付着する可能性も低減することができる。
【００３７】
なお、上述した実施の形態に係る高所作業用補助具１では、第１ないし第４の吊ロープ９・・・１２の先端には、本発明を構成する係止用金具としてのＵクレビス１３を固定したが、この発明を構成する係止用金具は、こうしたＵクレビス１３ばかりではなく、少なくとも腕金（アーム）Ａ等の高所作業を行う施設において、第１ないし第４の吊ロープ９・・・１２を安全に係合させ又は固定できるものであれば、例えば逆止止めを備えたＣ字状のフック等のように他の構成からなるものであっても良い。
【符号の説明】
【００３８】
１  高所作業用補助具
２  荷重支持用ネット
３  飛散防止用ネット
５  ネット本体
６，７，８  第１ないし第３の補強ロープ
９・・・１２  第１ないし第４の吊ロープ
１３  Ｕクレビス
１４  ゴム管
１７・・・２４  第１ないし第８の補助ロープ
３２，３３  補助ロープ
Ｔ  送電鉄塔
Ａ  腕金（アーム）
【図１】
0005502405.tif 000002
【図２】
0005502405.tif 000003
【図３】
0005502405.tif 000004
【図４】
0005502405.tif 000005
【図５】
0005502405.tif 000006
【図６】
0005502405.tif 000007
【図７】
0005502405.tif 000008
【図８】
0005502405.tif 000009
【図９】
0005502405.tif 000010